(57)【要約】【課題】  より広い範囲を照らすことが可能なＬＥＤ電球を提供すること。【解決手段】  １以上のＬＥＤチップを有するＬＥＤ発光部２００と、ＬＥＤ発光部２００が搭載される搭載面３２１を有する基台３００と、ＬＥＤ発光部２００を覆い、光を透過させるグローブ５００と、を備え、グローブ５００は、搭載面３２１の正面側であるｘ方向の一方側に膨出し、かつｘ方向の一方側端に頂点５０４を有し、グローブ５００の内側には、基台３００から頂点５０４に延びるｘ方向に沿った中心軸Ｏ１を囲むように配され、中心軸Ｏ１から遠ざかるにつれてｘ方向一方側に変位する光反射面５１２が設けられている。【選択図】  図２
2013020824.tif 000002
【特許請求の範囲】
【請求項１】
１以上のＬＥＤチップを有するＬＥＤ発光部と、
上記ＬＥＤ発光部が搭載される搭載面を有する支持部と、
上記ＬＥＤ発光部を覆い、光を透過させるグローブと、を備え、
上記グローブは、上記搭載面の正面側である第１方向の一方側に膨出し、かつ上記第１方向の一方側端に頂点を有し、
上記グローブの内側には、上記支持部から上記頂点に延びる上記第１方向に沿った中心軸を囲むように配され、上記中心軸から遠ざかるにつれて上記第１方向一方側に変位する光反射面が設けられていることを特徴とする、ＬＥＤ電球。
【請求項２】
上記グローブの内側には、上記中心軸と交差し、かつ上記光反射面に囲まれており、上記ＬＥＤ発光部からの光を透過する光透過面がさらに設けられている、請求項１に記載のＬＥＤ電球。
【請求項３】
上記光透過面は、上記中心軸と直角に交差する、請求項２に記載のＬＥＤ電球。
【請求項４】
上記光反射面は、上記中心軸を回転対称軸とする回転対称形状である、請求項１ないし３のいずれかに記載のＬＥＤ電球。
【請求項５】
上記光反射面は、上記中心軸を含む断面において凹状の円弧形状をなす、請求項４に記載のＬＥＤ電球。
【請求項６】
上記グローブは、上記第１方向一方側に位置する第１部分と、
上記第１部分に対して上記第１方向の他方側に位置し、上記第１部分の厚さよりも厚さが小である部位を含む第２部分と、を有する、請求項１ないし５のいずれかに記載のＬＥＤ電球。
【請求項７】
上記第２部分は、凹部および凸部からなる凹凸状部分を有し、上記凹部は、上記厚さが小である部位を構成する、請求項６に記載のＬＥＤ電球。
【請求項８】
上記凹部および上記凸部は、それぞれが上記中心軸を中心とする環状に形成されており、上記第１方向において交互に並んでいる、請求項７に記載のＬＥＤ電球。
【請求項９】
上記凹凸状部分は、上記グローブの内側に位置する、請求項７または８に記載のＬＥＤ電球。
【請求項１０】
上記グローブは、光拡散剤を含有する、請求項１ないし９のいずれかに記載のＬＥＤ電球。
【請求項１１】
上記グローブは、上記光拡散剤の含有濃度が相対的高い高濃度光拡散部と、上記光拡散剤の含有濃度が相対的に低い低濃度光拡散部と、を有する、請求項１０に記載のＬＥＤ電球。
【請求項１２】
上記高濃度光拡散部は、上記第１方向一方側に位置し、上記低濃度光拡散部は、上記高濃度光拡散部に対して上記第１方向他方側に位置する、請求項１１に記載のＬＥＤ電球。
【請求項１３】
上記グローブは、それぞれが上記第１方向他方側から上記第１方向一方側へと延び、かつ上記第１方向視において上記中心軸の周囲に交互に並ぶ、複数ずつの第１帯状部および第２帯状部を有し、
上記各第１帯状部および上記各第２帯状部は、それぞれ、上記高濃度光拡散部および上記低濃度光拡散部を構成する、請求項１１に記載のＬＥＤ電球。
【請求項１４】
上記グローブは、上記頂点を頂とするドーム形状部と、このドーム形状部に対して上記支持部側につながり、上記支持部に近づくにつれて窄む窄み部と、を有する、請求項１ないし５のいずれかに記載のＬＥＤ電球。
【請求項１５】
上記ドーム形状部は、第１部分を有し、
上記窄み部は、上記第１部分の厚さよりも厚さが小である部位を含む第２部分を有する、請求項１４に記載のＬＥＤ電球。
【請求項１６】
上記第２部分は、凹部および凸部からなる凹凸状部分を有し、上記凹部は、上記厚さが小である部位を構成する、請求項１５に記載のＬＥＤ電球。
【請求項１７】
上記凹部および上記凸部は、それぞれが上記中心軸を中心とする環状に形成されており、上記第１方向において交互に並んでいる、請求項１６に記載のＬＥＤ電球。
【請求項１８】
上記凹凸状部分は、上記グローブの内側に位置する、請求項１６または１７に記載のＬＥＤ電球。
【請求項１９】
上記グローブは、光拡散剤を含有する、請求項１４ないし１８のいずれかに記載のＬＥＤ電球。
【請求項２０】
上記ドーム形状部は、上記光拡散剤の含有濃度が相対的に高い高濃度光拡散部を有し、
上記窄み部は、上記光拡散剤の含有濃度が相対的に低い低濃度光拡散部を有する、請求項１９に記載のＬＥＤ電球。
【請求項２１】
上記ドーム形状部と上記窄み部との境界部は、上記第１方向に直交する寸法が最大である最大外形部とされている、請求項１４ないし２０のいずれかに記載のＬＥＤ電球。
【請求項２２】
上記ＬＥＤ発光部は、上記支持部に取り付けられ、かつ複数の上記ＬＥＤチップが搭載されたＬＥＤ基板を有する、請求項１ないし２１のいずれかに記載のＬＥＤ電球。
【発明の詳細な説明】
【技術分野】
【０００１】
本発明は、光源としてＬＥＤチップを備えるＬＥＤ電球に関する。
【背景技術】
【０００２】
いわゆる白熱電球の代替製品として、ＬＥＤチップが実装されたＬＥＤ電球が普及し始めている。ＬＥＤ電球は、白熱電球に対して、省電力および長寿命といった長所がある。
【０００３】
図１９は、従来のＬＥＤ電球の一例を示している（たとえば、特許文献１参照）。同図に示されたＬＥＤ電球９００は、白熱電球の代替として使用可能に構成されたものであり、ＬＥＤ基板９０１、複数のＬＥＤチップ９０２、基台９０３、電源部９０４、口金９０５、およびグローブ９０６を備えている。複数のＬＥＤチップ９０２は、ＬＥＤ電球９００の光源であり、ＬＥＤ基板９０１に搭載されている。ＬＥＤ基板９０１は、絶縁性材料からなり、基台９０３に固定されている。基台９０３は、たとえばアルミなどの金属からなり、複数のＬＥＤチップ９０２からの熱を外部へと放散する役割を果たす。口金９０５は、ＬＥＤ電球９００を照明器具などに取り付けるための部位であり、たとえばＪＩＳ規格に定められた仕様とされている。グローブ９０６は、複数のＬＥＤチップ９０２を保護するとともに、ＬＥＤチップ９０２からの光を透過させる。
【０００４】
ＬＥＤチップ９０２から発せられる光は、指向性が比較的に強いので、図中上方においてもっとも輝度が高く、側方においては比較的輝度が低い。さらに、図中斜め下方には、ＬＥＤチップ９０２からの光が届きにくい。このため、一般的な白熱電球に代えてＬＥＤ電球９００を照明器具に取り付けて使用した場合、十分に照らされる明るい範囲と十分に照らされない暗い範囲とが生じてしまうという問題があった。
【先行技術文献】
【特許文献】
【０００５】
【特許文献１】特開２０１０−２２５４０９号公報
【発明の概要】
【発明が解決しようとする課題】
【０００６】
本発明は、上記した事情のもとで考え出されたものであって、より広い範囲を照らすことが可能なＬＥＤ電球を提供することを課題とする。
【課題を解決するための手段】
【０００７】
本発明によって提供されるＬＥＤ電球は、１以上のＬＥＤチップを有するＬＥＤ発光部と、上記ＬＥＤ発光部が搭載される搭載面を有する支持部と、上記ＬＥＤ発光部を覆い、光を透過させるグローブと、を備え、上記グローブは、上記搭載面の正面側である第１方向の一方側に膨出し、かつ上記第１方向の一方側端に頂点を有し、上記グローブの内側には、上記支持部から上記頂点に延びる上記第１方向に沿った中心軸を囲むように配され、上記中心軸から遠ざかるにつれて上記第１方向一方側に変位する光反射面が設けられていることを特徴としている。
【０００８】
本発明の好ましい実施の形態においては、上記グローブの内側には、上記中心軸と交差し、かつ上記光反射面に囲まれており、上記ＬＥＤ発光部からの光を透過する光透過面がさらに設けられている。
【０００９】
本発明の好ましい実施の形態においては、上記光透過面は、上記中心軸と直角に交差する。
【００１０】
本発明の好ましい実施の形態においては、上記光反射面は、上記中心軸を回転対称軸とする回転対称形状である。
【００１１】
本発明の好ましい実施の形態においては、上記光反射面は、上記中心軸を含む断面において凹状の円弧形状をなす。
【００１２】
本発明の好ましい実施の形態においては、上記グローブは、上記第１方向一方側に位置する第１部分と、上記第１部分に対して上記第１方向の他方側に位置し、上記第１部分の厚さよりも厚さが小である部位を含む第２部分と、を有する。
【００１３】
本発明の好ましい実施の形態においては、上記第２部分は、凹部および凸部からなる凹凸状部分を有し、上記凹部は、上記厚さが小である部位を構成する。
【００１４】
本発明の好ましい実施の形態においては、上記凹部および上記凸部は、それぞれが上記中心軸を中心とする環状に形成されており、上記第１方向において交互に並んでいる。
【００１５】
本発明の好ましい実施の形態においては、上記凹凸状部分は、上記グローブの内側に位置する。
【００１６】
本発明の好ましい実施の形態においては、上記グローブは、光拡散剤を含有する。
【００１７】
本発明の好ましい実施の形態においては、上記グローブは、上記光拡散剤の含有濃度が相対的高い高濃度光拡散部と、上記光拡散剤の含有濃度が相対的に低い低濃度光拡散部と、を有する。
【００１８】
本発明の好ましい実施の形態においては、上記高濃度光拡散部は、上記第１方向一方側に位置し、上記低濃度光拡散部は、上記高濃度光拡散部に対して上記第１方向他方側に位置する。
【００１９】
本発明の好ましい実施の形態においては、上記グローブは、それぞれが上記第１方向他方側から上記第１方向一方側へと延び、かつ上記第１方向視において上記中心軸の周囲に交互に並ぶ、複数ずつの第１帯状部および第２帯状部を有し、上記各第１帯状部および上記各第２帯状部は、それぞれ、上記高濃度光拡散部および上記低濃度光拡散部を構成する。
【００２０】
本発明の好ましい実施の形態においては、上記グローブは、上記頂点を頂とするドーム形状部と、このドーム形状部に対して上記支持部側につながり、上記支持部に近づくにつれて窄む窄み部と、を有する。
【００２１】
本発明の好ましい実施の形態においては、上記ドーム形状部は、第１部分を有し、上記窄み部は、上記第１部分の厚さよりも厚さが小である部位を含む第２部分を有する。
【００２２】
本発明の好ましい実施の形態においては、上記第２部分は、凹部および凸部からなる凹凸状部分を有し、上記凹部は、上記厚さが小である部位を構成する。
【００２３】
本発明の好ましい実施の形態においては、上記凹部および上記凸部は、それぞれが上記中心軸を中心とする環状に形成されており、上記第１方向において交互に並んでいる。
【００２４】
本発明の好ましい実施の形態においては、上記凹凸状部分は、上記グローブの内側に位置する。
【００２５】
本発明の好ましい実施の形態においては、上記グローブは、光拡散剤を含有する。
【００２６】
本発明の好ましい実施の形態においては、上記ドーム形状部は、上記光拡散剤の含有濃度が相対的に高い高濃度光拡散部を有し、上記窄み部は、上記光拡散剤の含有濃度が相対的に低い低濃度光拡散部を有する。
【００２７】
本発明の好ましい実施の形態においては、上記ドーム形状部と上記窄み部との境界部は、上記第１方向に直交する寸法が最大である最大外形部とされている。
【００２８】
本発明の好ましい実施の形態においては、上記ＬＥＤ発光部は、上記支持部に取り付けられ、かつ複数の上記ＬＥＤチップが搭載されたＬＥＤ基板を有する。
【００２９】
本発明のその他の特徴および利点は、添付図面を参照して以下に行う詳細な説明によって、より明らかとなろう。
【図面の簡単な説明】
【００３０】
【図１】本発明の第１実施形態に基づくＬＥＤ電球を示す正面図である。
【図２】図１のＩＩ−ＩＩ線に沿う断面図である。
【図３】図１のＬＥＤ電球のＬＥＤ発光部を示す断面図である。
【図４】図１のＬＥＤ電球のＬＥＤ発光部の配置を示す平面図である。
【図５】図２と同様の断面を表す断面図である。
【図６】本発明の第２実施形態に基づくＬＥＤ電球を示す図２と同様の断面図である。
【図７】本発明の第３実施形態に基づくＬＥＤ電球を示す図２と同様の断面図である。
【図８】本発明の第４実施形態に基づくＬＥＤ電球を示す図２と同様の断面図である。
【図９】本発明の第５実施形態に基づくＬＥＤ電球を示す図２と同様の断面図である。
【図１０】本発明の第６実施形態に基づくＬＥＤ電球を示す図２と同様の断面図である。
【図１１】本発明の第７実施形態に基づくＬＥＤ電球を示す図２と同様の断面図である。
【図１２】本発明の第８実施形態に基づくＬＥＤ電球を示す図２と同様の断面図である。
【図１３】本発明の第９実施形態に基づくＬＥＤ電球を示す正面図である。
【図１４】図１３のＸＩＶ−ＸＩＶ線に沿う断面図である。
【図１５】本発明の第１０実施形態に基づくＬＥＤ電球を示す正面図である。
【図１６】図１５のＸＶＩ−ＸＶＩ線に沿う断面図である。
【図１７】図１５のＬＥＤ電球のＬＥＤモジュールを示す断面図である。
【図１８】図１５のＬＥＤ電球のＬＥＤモジュールの配置を示す平面図である。
【図１９】従来のＬＥＤ電球の一例を示す断面図である。
【発明を実施するための形態】
【００３１】
以下、本発明の好ましい実施の形態につき、図面を参照して具体的に説明する。
【００３２】
図１および図２は、本発明の第１実施形態に基づくＬＥＤ電球を示している。本実施形態のＬＥＤ電球１０１は、ＬＥＤ発光部２００、基台３００、電源部４００、グローブ５００、および口金６００を備えている。ＬＥＤ電球１０１は、白熱電球の代替製品として白熱電球用の照明器具に取り付けられて用いられる。ＬＥＤ電球１０１は、たとえば６０Ｗ型の電球相当の大きさとされており、直径が５５ｍｍ程度、高さが１０８ｍｍ程度である。
【００３３】
図３および図４に示すように、本実施形態においては、ＬＥＤ発光部２００は、全体として矩形薄板状とされている。図３に示すように、ＬＥＤ発光部２００は、ＬＥＤ基板２１０、複数のＬＥＤチップ２２０、封止樹脂２３０、および堰部２４０を有している。ＬＥＤ基板２１０は、矩形状であり、たとえばアルミナなどのセラミックスからなる。ＬＥＤ基板２１０には、複数のＬＥＤチップ２２０を搭載し、これらのＬＥＤチップ２２０に電力を供給する経路となる配線パターン（図示略）が形成されている。
【００３４】
ＬＥＤチップ２２０は、たとえば青色光を発光可能とされている。ＬＥＤチップ２２０は、上述したＬＥＤ基板２１０の配線パターンに対して２つのワイヤを介して接続される、いわゆる２ワイヤタイプであるが、これに限定されず、１ワイヤタイプのものや、フリップチップタイプのものであってもよい。複数のＬＥＤチップ２２０は、ＬＥＤ基板２１０上にマトリクス状に配置されている。
【００３５】
封止樹脂２３０は、複数のＬＥＤチップ２２０を封止しており、ＬＥＤチップ２２０からの光を透過するたとえばシリコーン樹脂またはエポキシ樹脂などの樹脂材料からなる。封止樹脂２３０は、たとえばＬＥＤチップ２２０からの光によって励起されることにより黄色光を発する蛍光物質を含んで形成されている。上記蛍光物質としては、黄色光を発するものに代えて、赤色光を発するものと緑色光を発するものとを混合して用いてもよい。堰部２４０は、ＬＥＤ基板２１０上において矩形枠状に形成されており、たとえば白色のシリコーン樹脂からなる。堰部２４０は、封止樹脂２３０の形成において、液状の樹脂材料を堰き止めることにより、この樹脂材料が意図しない領域に流出することを防止する。
【００３６】
上記構成のＬＥＤ発光部２００は、後述する基台３００のスペーサ３２０に搭載されている。なお、図面において、ＬＥＤ発光部２００から発せられた光の進行方向について、適宜、矢印を用いて表す。
【００３７】
図１および図２に示すように、基台３００は、本実施形態においては、本体３１０およびスペーサ３２０からなる。基台３００は、ＬＥＤ発光部２００を支持しており、本発明の支持部を構成している。基台３００の材質としては、熱伝導率が高いものが好ましく、たとえばアルミなどの金属が用いられる。なお、本実施形態とは異なり、基台３００を一体成型品として形成してもよい。
【００３８】
本体３１０は、全体としてラッパに類似した形状とされており、複数のフィン３１１を有している。複数のフィン３１１は、外方に向かって放射状に形成されている。本体３１０には、電源収容凹部３１２が形成されている。電源収容凹部３１２は、電源部４００の少なくとも一部を収容する部位であり、本実施形態においては、電源部４００のほとんどを収容している。スペーサ３２０は、円板状であり、本体３１０の図中上端に取り付けられている。上記したＬＥＤ発光部２００は、スペーサ３２０の図中上面中央に搭載されており、本実施形態では、スペーサ３２０の上面がＬＥＤ発光部２００の搭載面３２１となっている。スペーサ３２０には、電源部４００の配線４３０を通すための配線用貫通孔３２２が形成されている。配線４３０は、複数の電子部品４２０からの直流電力をＬＥＤ発光部２００へと導くためのものである。配線４３０は、後述する基板４１０からスペーサ３２０の配線用貫通孔３２２を通じてＬＥＤ発光部２００に到達している。
【００３９】
電源部４００は、たとえば商用の交流１００Ｖ電源からＬＥＤ発光部２００（ＬＥＤモチップ２２０）を点灯させるのに適した直流電力を発生させ、この直流電力をＬＥＤ発光部２００（ＬＥＤチップ２２０）に供給するものであり、図２に示すように、基板４１０、および複数の電子部品４２０を備えている。
【００４０】
基板４１０は、熱伝導性に優れた構成のものが用いられ、たとえばガラスコンポジッド銅張積層板からなる。基板４１０は、全体として円形状とされている。基板４１０の図中下面には、複数の電子部品４２０が実装されている。基板４１０の図中下面および図中上面には、ＬＥＤチップ２２０に電力を供給する経路となる配線パターン（図示略）が適宜形成されており、また、上面の配線パターンと下面の配線パターンとは、たとえばスルーホールビアを介して適宜導通させられている。基板４１０は、その周縁付近が基台３００の本体３１０とスペーサ３２０との間に挟まれた状態で基台３００に固定されている。
【００４１】
複数の電子部品４２０は、たとえば商用の交流１００Ｖ電源を、ＬＥＤ発光部２００（ＬＥＤチップ２２０）を点灯させるのに適した直流電力に変換する機能を果たす。複数の電子部品４２０は、たとえば、コンデンサ、抵抗、コイル、ダイオード、ＩＣなどを含む。たとえば、図２において、電源収容凹部３１２のほぼ中央において、図中下方にもっとも突出した電子部品４２０は、コンデンサである。
【００４２】
口金６００は、たとえばＪＩＳ規格に準拠した一般的な電球用の照明器具に取り付けるための部分である。口金６００は、ＪＩＳ規格に定められたＥ１７、Ｅ２６などの仕様を満たす構成とされている。口金６００は、電源部４００に対して配線（図示略）によって接続されている。
【００４３】
グローブ５００は、スペーサ３２０の搭載面３２１の正面側（ｘ方向の一方側）に膨出しており、ＬＥＤ発光部２００を覆っている。グローブ５００は、ＬＥＤ発光部２００から出射された光を透過する。さらに、本実施形態においては、グローブ５００は、光を拡散させつつ透過させる構成とされている。このようなグローブ５００は、たとえば光拡散剤を含有しており、乳白色の半透明な樹脂からなる。
【００４４】
図１、図２に示すように、本実施形態においては、グローブ５００は、ドーム形状部５０１、窄み部５０２、および挿入部５０３を有している。ドーム形状部５０１は、搭載面３２１の正面（ｘ方向の一方側）に位置しており、概略半球状とされている。窄み部５０２は、ドーム形状部５０１に対してスペーサ３２０（基台３００）側につながっている。窄み部５０２は、スペーサ３２０に近づくにつれて窄んでおり、たとえば概略部分球状とされている。本実施形態では、ドーム形状部５０１と窄み部５０２との境界部は、中心軸Ｏ１に直交する寸法が最大である最大外形部とされている。挿入部５０３は、基台３００に形成された溝に挿入されることにより、グローブ５００を基台３００に対して固定するために用いられる。本実施形態では、グローブ５００は、基台３００からグローブ５００の頂点５０４に延びるｘ方向（第１方向）に沿った中心軸Ｏ１を回転対称軸とする回転対称形状とされている。
【００４５】
図１、図２および図５に示すように、グローブ５００の内側には、光透過面５１１、および光反射面５１２が設けられている。光透過面５１１は、中心軸Ｏ１と交差しており、ＬＥＤ発光部２００からの光を透過するためのものである。本実施形態では、光透過面５１１は、中心軸Ｏ１と直角に交差する平面であり、ｘ方向視において中心軸Ｏ１を中心とする円形とされている。なお、光透過面５１１は、ＬＥＤ発光部２００からの光をグローブ５００内を透過させて、外部に出射させる光の割合を高くすることが意図された部分である。光透過面５１１は、ＬＥＤ発光部２００からの光の入射角が小さくなるように構成される。このような光透過面５１１としては、たとえば緩やかな凹面などの曲面によって構成してもよい。
【００４６】
光反射面５１２は、中心軸Ｏ１を囲むように環状に配され、光透過面５１１を囲んでいる。光反射面５１２は、図２に示すように、中心軸Ｏ１から遠ざかるにつれてｘ方向の一方側（図中上方側）に変位する曲面である。本地実施形態では、光反射面５１２は、中心軸Ｏ１を含む断面において凹状の円弧形状とされている。光反射面５１２は、ＬＥＤ発光部２００からの光をこの光反射面５１２で反射させる割合を高くすることが意図された部分である。光反射面５１２は、ＬＥＤ発光部２００からの光の入射角が光透過面５１１における当該入射角よりも大きくなるように構成される。
【００４７】
光透過面５１１および光反射面５１２は、ドーム形状部５０１に設けられている。ドーム形状部５０１における光透過面５１１および光反射面５１２が設けられていない部分５１３は、厚さが均一とされている。また、窄み部５０２の厚さも均一とされており、ドーム形状部５０１における部分５１３の厚さと同一である。グローブ５００の厚さの一例を挙げると、ドーム形状部５０１における部分５１３、および窄み部５０２の厚さは、たとえば０．５〜６．０ｍｍ程度とされる。
【００４８】
上記構成のグローブ５００は、たとえば、以下の手順により形成される。まず、ドーム形状部５０１および窄み部５０２に相当する部材を、それぞれに対応する金型を用いて成形する。次いで、これらドーム形状部５０１および窄み部５０２に相当する部材を、最大外径部である境界部において接合する。ここで、ドーム形状部５０１および窄み部５０２に相当する部材の接合方法としては、たとえば凹凸嵌合による接合、超音波溶着による接合、接着剤による接合などの種々の方法を採用することができる。
【００４９】
次に、ＬＥＤ電球１０１の作用について説明する。
【００５０】
本実施形態によれば、グローブ５００の内側には、光反射面５１２が形成されている。ＬＥＤ発光部２００からの光は光反射面５１２において反射する。この光反射面５１２で反射した光は、図５において斜め下方に進行し、グローブ５００（主に窄み部５０２）を透過して外部に出射される。したがって、ＬＥＤ電球１０１においては、図中側方ないし斜め下方をも照らすことになり、より広い範囲を照らすことができる。
【００５１】
また、光反射面５１２に到達した光の一部は、光反射面５１２を透過して、図５において上方に出射される。さらに、グローブ５００の内側には、ＬＥＤ発光部２００の正面に光透過面５１１が設けられている。これによりＬＥＤ発光部２００からの光は、光透過面５１１および光反射面５１２を透過して、図中上方に出射される。したがって、ＬＥＤ電球１０１においては、図中上方についても十分に明るく照らすことができる。
【００５２】
グローブ５００は、光拡散剤を含有している。これにより、ＬＥＤ発光部２００からの光（光反射面５１２で反射した光を含む）は、グローブ５００によって拡散されつつ外部に出射される。したがって、ＬＥＤ電球１０１においては、広い範囲を均一に照らすことができる。
【００５３】
図６〜図１８は、本発明の他の実施形態を示している。なお、これらの図において、上記実施形態と同一または類似の要素には、上記実施形態と同一の符号を付している。
【００５４】
図６は、本発明の第２実施形態に基づくＬＥＤ電球を示している。本実施形態のＬＥＤ電球１０２は、グローブ５００の構成が上述した実施形態と異なっている。
【００５５】
窄み部５０２は、ドーム形状部５０１における光透過面５１１および光反射面５１２が設けられていない部分５１３よりも厚さが小である薄肉部５２１を有する。薄肉部５２１は、グローブ５００の内側を凹ませることよって形成されている。グローブ５００の寸法の一例を挙げると、ドーム形状部５０１における部分５１３の厚さＴ１は、０．５〜６．０ｍｍ程度とされ、薄肉部５２１の厚さＴ２は、０．３〜３．０ｍｍ程度とされる。また、部分５１３の厚さＴ１に対する薄肉部５２１の厚さＴ２の割合（Ｔ２／Ｔ１）は、たとえば１／２０〜１４／２０程度とされる。本実施形態の部分５１３は、本発明でいう第１部分の一例に相当し、薄肉部５２１は、本発明でいう第２部分の一例に相当する。
【００５６】
本実施形態のＬＥＤ電球１０２においては、ＬＥＤ発光部２００からの光は光反射面５１２において反射し、この反射光は、図６における斜め下方に進行し、グローブ５００（主に窄み部５０２）を透過して外部に出射される。したがって、ＬＥＤ電球１０２においても、図中側方ないし斜め下方をも照らすことになり、より広い範囲を照らすことができる。
【００５７】
また、窄み部５０２には薄肉部５２１が設けられているため、光反射面５１２で反射した光は、薄肉部５２１を通じて効率よく外部に出射される。このような構成は、図中斜め下方をより明るく照らすのに適している。
【００５８】
図７は、本発明の第３実施形態に基づくＬＥＤ電球を示している。本実施形態のＬＥＤ電球１０３は、グローブ５００の構成が上述した実施形態と異なっている。
【００５９】
窄み部５０２の内側には、凹部５２２ａおよび凸部５２２ｂからなる凹凸状部分５２２が設けられている。凹部５２２ａおよび凸部５２２ｂは、中心軸Ｏ１を中心とする環状に形成されており、ｘ方向において交互に並んでいる。本実施形態では、凸部５２２ｂは断面台形状とされている。凸部５２２ｂにおける厚さは、ドーム形状部５０１における光透過面５１１および光反射面５１２が設けられていない部分５１３の厚さと同一であり、たとえば０．５〜６．０ｍｍ程度とされる。凹部５２２ａにおける厚さＴ３は、部分５１３の厚さよりも小とされており、たとえば０．３〜２．０ｍｍ程度とされる。また、隣り合う凸部５２２ｂのピッチＰ１は、たとえば０．３〜５ｍｍ程度とされる。このような構成の凹凸状部分５２２は、本発明でいう第２部分を構成する。
【００６０】
本実施形態のＬＥＤ電球１０３においては、ＬＥＤ発光部２００からの光は光反射面５１２において反射し、この反射光は、図７における斜め下方に進行し、グローブ５００（主に窄み部５０２）を透過して外部に出射される。したがって、ＬＥＤ電球１０３においても、図中側方ないし斜め下方をも照らすことになり、より広い範囲を照らすことができる。
【００６１】
また、窄み部５０２に設けられた凹凸状部分５２２は、光反射面５１２で反射した光を拡散させつつ透過させる。このような構成は、図中斜め下方について、より広い範囲を明るく照らすのに適している。
【００６２】
図８は、本発明の第４実施形態に基づくＬＥＤ電球を示している。本実施形態のＬＥＤ電球１０４は、グローブ５００の構成が上述した実施形態と異なっている。
【００６３】
本実施形態では、ドーム形状部５０１は、光拡散剤の含有濃度が相対的に高くされる一方、窄み部５０２は、光拡散剤の含有濃度が相対的に低くされる。ドーム形状部５０１は、本発明でいう高濃度光拡散部を構成し、窄み部５０２は、本発明でいう低濃度光拡散部を構成する。また、窄み部５０２の厚さは、均一とされており、ドーム形状部５０１における光透過面５１１および光反射面５１２が設けられていない部分５１３の厚さと同一である。
【００６４】
本実施形態のＬＥＤ電球１０４においては、ＬＥＤ発光部２００からの光は光反射面５１２において反射し、この反射光は、図８における斜め下方に進行し、グローブ５００（主に窄み部５０２）を透過して外部に出射される。したがって、ＬＥＤ電球１０４においても、図中側方ないし斜め下方をも照らすことになり、より広い範囲を照らすことができる。
【００６５】
また、窄み部５０２は低濃度光拡散部を構成するため、光反射面５１２で反射した光は、窄み部５０２を通じて効率よく外部に出射される。このような構成は、図中斜め下方をより明るく照らすのに適している。
【００６６】
図９は、本発明の第５実施形態に基づくＬＥＤ電球を示している。本実施形態のＬＥＤ電球１０５は、グローブ５００の構成が上述した実施形態と異なっている。
【００６７】
窄み部５０２の内側には、凹部５２２ａおよび凸部５２２ｂからなる凹凸状部分５２２が設けられている。凹凸状部分５２２の形状は、図７を参照して説明したＬＥＤ電球１０３と同様である。
【００６８】
また、本実施形態では、ＬＥＤ電球１０４と同様に、ドーム形状部５０１は光拡散剤の含有濃度が相対的に高くされる一方、窄み部５０２は、光拡散剤の含有濃度が相対的に低くされる。
【００６９】
本実施形態のＬＥＤ電球１０５においては、ＬＥＤ発光部２００からの光は光反射面５１２において反射し、この反射光は、図９における斜め下方に進行し、グローブ５００（主に窄み部５０２）を透過して外部に出射される。したがって、ＬＥＤ電球１０５においても、図中側方ないし斜め下方をも照らすことになり、より広い範囲を照らすことができる。
【００７０】
また、窄み部５０２に設けられた凹凸状部分５２２は、光反射面５１２で反射した光を拡散させつつ透過させる。このような構成は、図中斜め下方について、より広い範囲を明るく照らすのに適している。
【００７１】
窄み部５０２は低濃度光拡散部を構成するため、光反射面５１２で反射した光は、窄み部５０２を通じて効率よく外部に出射される。このような構成は、図中斜め下方をより明るく照らすのに適している。
【００７２】
図１０は、本発明の第６実施形態に基づくＬＥＤ電球を示している。本実施形態のＬＥＤ電球１０６は、グローブ５００の構成が上述した実施形態と異なっている。
【００７３】
本実施形態では、グローブ５００のドーム形状部５０１には、上記第１実施形態の光透過面５１１および光反射面５１２が設けられておらず、ドーム形状部５０１は、厚さが均一とされている。窄み部５０２は、ドーム形状部５０１よりも厚さが小である薄肉部５２１を有する。薄肉部５２１は、グローブ５００の内側を凹ませることよって形成されている。
【００７４】
本実施形態のＬＥＤ電球１０６においては、ＬＥＤ発光部２００からの光は、グローブ５００（主にドーム形状部５０１）によって拡散しつつ透過する。ここで、グローブ５００によって拡散された光の一部は、グローブ５００の内側において図中斜め下方に進行し、グローブ５００（主に窄み部５０２）を透過して外部に出射される。したがって、ＬＥＤ電球１０６においても、図中側方ないし斜め下方をも照らすことになり、より広い範囲を照らすことができる。
【００７５】
また、窄み部５０２には薄肉部５２１が設けられているため、グローブ５００の内側において斜め下方に進行する光は、薄肉部５２１を通じて効率よく外部に出射される。このような構成は、図中斜め下方をより明るく照らすのに適している。
【００７６】
図１１は、本発明の第７実施形態に基づくＬＥＤ電球を示している。本実施形態のＬＥＤ電球１０７は、グローブ５００の構成が上述した実施形態と異なっている。
【００７７】
本実施形態では、グローブ５００のドーム形状部５０１には、上記第１実施形態の光透過面５１１および光反射面５１２が設けられておらず、ドーム形状部５０１は、厚さが均一とされている。窄み部５０２の内側には、凹部５２２ａおよび凸部５２２ｂからなる凹凸状部分５２２が設けられている。凹部５２２ａおよび凸部５２２ｂは、中心軸Ｏ１を中心とする環状に形成されており、ｘ方向において交互に並んでいる。本実施形態では、凸部５２２ｂは断面形状が部分円形状とされている。凹部５２２ａは、隣接する凸部５２２ｂの間に位置する断面Ｖ字状の溝である。凸部５２２ｂにおける頂部の厚さは、ドーム形状部５０１の厚さと同程度とされており、凹部５２２ａにおける厚さは、ドーム形状部５０１の厚さよりも小とされている。
【００７８】
本実施形態のＬＥＤ電球１０７においては、ＬＥＤ発光部２００からの光は、グローブ５００（主にドーム形状部５０１）によって拡散しつつ透過する。ここで、グローブ５００によって拡散された光の一部は、グローブ５００の内側において図中斜め下方に進行し、グローブ５００（主に窄み部５０２）を透過して外部に出射される。したがって、ＬＥＤ電球１０７においても、図中側方ないし斜め下方をも照らすことになり、より広い範囲を照らすことができる。
【００７９】
また、窄み部５０２に設けられた凹凸状部分５２２は、グローブ５００の内側において斜め下方に進行する光を拡散させつつ透過させる。このような構成は、図中斜め下方について、より広い範囲を明るく照らすのに適している。
【００８０】
図１２は、本発明の第８実施形態に基づくＬＥＤ電球を示している。本実施形態のＬＥＤ電球１０８は、グローブ５００の構成が上述した実施形態と異なっている。
【００８１】
本実施形態では、グローブ５００のドーム形状部５０１には、上記第１実施形態の光透過面５１１および光反射面５１２が設けられておらず、ドーム形状部５０１は、厚さが均一とされている。また、窄み部５０２の厚さも均一とされており、ドーム形状部５０１の厚さと同一である。本実施形態では、ドーム形状部５０１は、光拡散剤の含有濃度が相対的に高くされる一方、窄み部５０２は、光拡散剤の含有濃度が相対的に低くされる。
【００８２】
このような構成のグローブ５００の形成は、たとえばブロー成型によって行う。ブロー成型においては、複数のゲートから樹脂材料を注入して形成する。たとえば、１つのゲートからドーム形状部５０１に対応する材料（光拡散剤の含有濃度が高い樹脂材料）を注入し、他の１つのゲートから窄み部５０２に対応する材料（光拡散剤の含有濃度が低い樹脂材料）を注入し、これら材料を一体的に硬化させることにより、上記構成のグローブ５００を得ることができる。
【００８３】
本実施形態のＬＥＤ電球１０８においては、ＬＥＤ発光部２００からの光は、グローブ５００（主にドーム形状部５０１）によって拡散しつつ透過する。ここで、グローブ５００によって拡散された光の一部は、グローブ５００の内側において図中斜め下方に進行し、グローブ５００（主に窄み部５０２）を透過して外部に出射される。したがって、ＬＥＤ電球１０８においても、図中側方ないし斜め下方をも照らすことになり、より広い範囲を照らすことができる。
【００８４】
また、窄み部５０２は低濃度光拡散部を構成するため、グローブ５００の内側において斜め下方に進行する光は、窄み部５０２を通じて効率よく外部に出射される。このような構成は、図中斜め下方をより明るく照らすのに適している。
【００８５】
図１３および図１４は、本発明の第９実施形態に基づくＬＥＤ電球を示している。本実施形態のＬＥＤ電球１０９は、グローブ５００の構成が上述した実施形態と異なっている。
【００８６】
本実施形態では、グローブ５００のドーム形状部５０１には、上記第１実施形態の光透過面５１１および光反射面５１２が設けられておらず、ドーム形状部５０１は、厚さが均一とされている。また、窄み部５０２の厚さも均一とされており、ドーム形状部５０１の厚さと同一である。
【００８７】
本実施形態では、グローブ５００は、光拡散剤の含有濃度が相対的に高い高濃度光拡散部５６０と、光拡散剤の含有濃度が相対的に低い低濃度光拡散部５７０とを有する。高濃度光拡散部５６０および低濃度光拡散部５７０は、複数ずつ設けられており、それぞれが基台３００側から頂点５０４に延びている。高濃度光拡散部５６０および低濃度光拡散部５７０は、中心軸Ｏ１の周方向において交互に並んでいる。このような構成のグローブ５００の形成は、たとえば、高濃度光拡散部５６０および低濃度光拡散部５７０に相当する部材を、それぞれに対応する金型を用いて成形し、これら部材を接合することによって行う。
【００８８】
本実施形態のＬＥＤ電球１０９においては、ＬＥＤ発光部２００からの光は、グローブ５００（主にドーム形状部５０１）によって拡散しつつ透過する。ここで、グローブ５００によって拡散された光の一部は、グローブ５００の内側において図中斜め下方に進行し、グローブ５００（主に窄み部５０２）を透過して外部に出射される。したがって、ＬＥＤ電球１０９においても、図中側方ないし斜め下方をも照らすことになり、より広い範囲を照らすことができる。
【００８９】
また、グローブ５００は、低濃度光拡散部５７０を有するため、ＬＥＤ発光部２００からの光は、低濃度光拡散部５７０を通じて効率よく外部に出射される。このような構成は、より広い範囲を明るく照らすのに適している。
【００９０】
図１５および図１６は、本発明の第１０実施形態に基づくＬＥＤ電球を示している。本実施形態のＬＥＤ電球１１０は、ＬＥＤ発光部２００、基台３００、およびグローブ５００の構成が上述した実施形態と異なっている。
【００９１】
本実施形態において、ＬＥＤ発光部２００は、複数のＬＥＤモジュール２０１を備えて構成されている。図１７に示すように、ＬＥＤモジュール２０１は、ＬＥＤチップ２０２、１対のリード２０３、ケース２０５、封止樹脂２０６、およびワイヤ２０７を備えている。１対のリード２０３は、たとえばＣｕ合金からなり、その一方にＬＥＤチップ２０２が搭載されている。リード２０３のうちＬＥＤチップ２０２が搭載された面と反対側の面は、ＬＥＤモジュール２０１を面実装するために用いられる実装端子２０４とされている。ＬＥＤチップ２０２は、ＬＥＤモジュール２０１の光源であり、たとえば青色光を発光可能とされている。封止樹脂２０６は、ＬＥＤチップ２０２を保護するためのものである。封止樹脂２０６は、ＬＥＤチップ２０２からの光によって励起されることにより黄色光を発する蛍光物質を含む透光樹脂を用いて形成されている。上記蛍光物質としては、黄色光を発するものに代えて、赤色光を発するものと緑色光を発するものとを混合して用いてもよい。ケース２０５はたとえば白色樹脂からなり、ＬＥＤチップ２０２から側方に発された光を上方に反射するためのものである。
【００９２】
上記構成の各ＬＥＤモジュール２０１は、基板４１０の搭載面４１１（図１６における上面）に搭載されている。図１８に示すように、本実施形態において、複数のＬＥＤモジュール２０１は、マトリクス状に配置されている。
【００９３】
基台３００は、基板４１０を介してＬＥＤモジュール２０１（ＬＥＤ発光部２００）を支持している。基台３００および基板４１０は、本発明の支持部を構成している。スペーサ３２０には、開口３２３が形成されている。開口３２３は、ＬＥＤモジュール２０１との干渉を回避するために設けられている。
【００９４】
グローブ５００は、光透過面５１１および光反射面５１２を有するドーム形状部５０１を備えている。光透過面５１１および光反射面５１２の態様は上記第１実施形態とほぼ同様であるが、窄み部５０２に代えて、ドーム形状部５０１の下方につながる円筒部５０５を有する点において上記第１実施形態と異なる。
【００９５】
本実施形態のＬＥＤ電球１１０においては、ＬＥＤ発光部２００からの光は光反射面５１２において反射し、この反射光は、図１６における斜め下方に進行し、グローブ５００（主に円筒部５０５）を透過して外部に出射される。したがって、ＬＥＤ電球１１０においても、図中側方ないし斜め下方をも照らすことになり、より広い範囲を照らすことができる。
【００９６】
以上、本発明の具体的な実施形態を説明したが、本発明に係るＬＥＤ電球は、上述した実施形態に限定されるものではない。本発明に係るＬＥＤ電球の各部の具体的な構成は、種々に設計変更自在である。
【符号の説明】
【００９７】
１０１〜１１０    ＬＥＤ電球
Ｏ１      中心軸
ｘ        方向（第１方向）
２００    ＬＥＤ発光部
２０１    ＬＥＤモジュール
２０２    ＬＥＤチップ
２０３    リード
２０４    実装端子
２０５    ケース
２０６    封止樹脂
２０７    ワイヤ
２１０    ＬＥＤ基板
２２０    ＬＥＤチップ
２３０    封止樹脂
２４０    堰部
３００    基台
３１０    本体
３１１    フィン
３１２    電源収容凹部
３２０    スペーサ
３２１    搭載面
３２２    配線用貫通孔
３２３    開口
４００    電源部
４１０    基板
４１１    搭載面
４２０    電子部品
４３０    配線
５００    グローブ
５０１    ドーム形状部
５０２    窄み部
５０３    挿入部
５０４    頂点
５０５    円筒部
５１１    光透過面
５１２    光反射面
５１３    部分
５２１    薄肉部
５２２    凹凸状部分
５２２ａ  凹部
５２２ｂ  凸部
５６０    高濃度光拡散部
５７０    低濃度光拡散部
【図１】
2013020824.tif 000003
【図２】
2013020824.tif 000004
【図３】
2013020824.tif 000005
【図４】
2013020824.tif 000006
【図５】
2013020824.tif 000007
【図６】
2013020824.tif 000008
【図７】
2013020824.tif 000009
【図８】
2013020824.tif 000010
【図９】
2013020824.tif 000011
【図１０】
2013020824.tif 000012
【図１１】
2013020824.tif 000013
【図１２】
2013020824.tif 000014
【図１３】
2013020824.tif 000015
【図１４】
2013020824.tif 000016
【図１５】
2013020824.tif 000017
【図１６】
2013020824.tif 000018
【図１７】
2013020824.tif 000019
【図１８】
2013020824.tif 000020
【図１９】
2013020824.tif 000021